(57)【要約】      （修正有）【課題】容易に取り付けることができるだけでなく、不要なときには踏み板に対して倒伏させることにより容易に収納することのできる仮設足場用巾板を提供する。【解決手段】仮設足場用巾板２０を、踏み板１３の縁部に沿って配され、踏み板１３に対して略垂直に起立される巾板本体２１と、巾板本体２１の下縁を支柱１１又は梁部材１２に対して固定するための下側固定手段２２と、巾板本体２１と下側固定手段２２の間に介在されて巾板本体２１を踏み板１３側へ倒伏可能とするヒンジ部２３と、巾板本体２１の上部を係止して巾板本体２１が踏み板１３側へ倒伏しないようにするための上側ロック手段２４とで構成した。仮設足場用巾板２０の不要時には、上側ロック手段２４を巾板本体２１から外して巾板本体２１を踏み板１３側へ倒伏させる。【選択図】図３
2011026917.tif 000002
【特許請求の範囲】
【請求項１】
鉛直方向に立設された複数の支柱を水平方向に連結する複数の梁部材に複数の踏み板を架設することによって構築された仮設足場における踏み板の縁部に沿って取り付けるための仮設足場用巾板であって、
踏み板の縁部に沿って配され、該踏み板に対して略垂直に起立される巾板本体と、
巾板本体の下縁を支柱又は梁部材に対して固定するための下側固定手段と、
巾板本体と下側固定手段の間に介在されて巾板本体を踏み板側へ倒伏可能とするヒンジ部と、
巾板本体の上部を係止して巾板本体が踏み板側へ倒伏しないようにするための上側ロック手段とで構成され、
その不要時には、上側ロック手段を巾板本体から外して巾板本体を踏み板側へ倒伏させることができるようにしたことを特徴とする仮設足場用巾板。
【請求項２】
巾板本体の上部を表裏に貫通する貫通孔が設けられ、
上側ロック手段が、前記貫通孔に挿入される挿入ピンと、挿入ピンの先端から側方へ突き出る向きに付勢された係止爪とで構成され、
係止爪をその付勢力に逆らって押さえ込むことにより、挿入ピンを前記貫通孔から抜いて、上側ロック手段を巾板本体から外すことができるようにした請求項１記載の仮設足場用巾板。
【請求項３】
上側ロック手段が、巾板本体の上縁に係止する係止爪を先端に供えたロックピンによって構成され、
係止爪をロックピンの中心軸回りに回転させて係止爪の向きを変えることにより、上側ロック手段を巾板本体から外すことができるようにした請求項１記載の仮設足場用巾板。
【発明の詳細な説明】
【技術分野】
【０００１】
本発明は、建築現場に施工される仮設足場から作業者が転落したり物が落下したりするのを防止するために、該仮設足場に組み付けられる仮設足場用巾板に関する。
【背景技術】
【０００２】
家やビルを建築する際には、高所での作業を容易なものとするために、建物の外周を囲むように仮設足場が施工される。仮設足場には、様々な種類があるが、図１に示すように、複数本の金属製の棒材（支柱１１と梁部材１２）を組み合わせて骨組を形成し、該骨組における梁部材１２に踏み板１３を架け渡した形態のものが一般的となっている。この種の仮設足場では、作業者の転落事故や、工具や資材の落下事故を防ぐため、「巾板」と呼ばれる落下防止板（図示省略）を踏み板１３の縁に沿って取り付けることが行われている。
【０００３】
例えば、特許文献１には、背板部と底板部とからなる断面Ｌ字形状の巾板が記載されている（同文献の段落０００９、図７を参照）。背板部の長手方向両端部は、支柱に対して固定される。この背板部は、踏み板に対して垂直となるように、踏み板の縁部に沿って配される。他方、底板部は、その先端が踏み板の縁部に掛けられる。この底板部によって、背板部の下縁と踏み板の側縁との隙間を塞ぐことができる。しかし、この種の巾板は、現場に資材を搬入する際や、建物の外壁の施工を行う際などに、その背板部が邪魔になるという欠点を有していた。
【０００４】
ところで、これまでには、仮設足場に使用される踏み板であって、その側縁にヒンジが設けられ、該ヒンジに巾板が取り付けられたものも提案されている（例えば、特許文献２）。この種の踏み板において、巾板は、踏み板に対して回動させることができ、踏み板の裏面に収納することができるようになっている。したがって、現場に資材を搬入する際や、建物の外壁の施工を行う際など、巾板が邪魔になりそうなときのみ巾板を収納することができる。しかし、この踏み板は、巾板が一体的に取り付けられたものとなっており、仮設足場に巾板を取り付けようとすると、踏み板ごと交換しなければならないという欠点があった。
【先行技術文献】
【特許文献】
【０００５】
【特許文献１】特開２００４−１５６３９６号公報
【特許文献２】特開平０８−１２８１９２号公報
【発明の概要】
【発明が解決しようとする課題】
【０００６】
本発明は、上記課題を解決するためになされたものであり、踏み板を交換することなく従来の仮設足場に容易に取り付けることができ、また、現場に資材を搬入する際など、不要なときには踏み板に対して倒伏させることにより容易に収納することのできる仮設足場用巾板を提供するものである。
【課題を解決するための手段】
【０００７】
上記課題は、
鉛直方向に立設された複数の支柱を水平方向に連結する複数の梁部材に複数の踏み板を架設することによって構築された仮設足場における踏み板の縁部に沿って取り付けるための仮設足場用巾板であって、
踏み板の縁部に沿って配され、該踏み板に対して略垂直に起立される巾板本体と、
巾板本体の下縁を支柱又は梁部材に対して固定するための下側固定手段と、
巾板本体と下側固定手段の間に介在されて巾板本体を踏み板側へ倒伏可能とするヒンジ部と、
巾板本体の上部を係止して巾板本体が踏み板側へ倒伏しないようにするための上側ロック手段とで構成され、
その不要時には、上側ロック手段を巾板本体から外して巾板本体を踏み板側へ倒伏させることができるようにしたことを特徴とする仮設足場用巾板
を提供することによって解決される。
【０００８】
このとき、巾板本体の上部を表裏に貫通する貫通孔を設け、上側ロック手段を、前記貫通孔に挿入される挿入ピンと、挿入ピンの先端から側方へ突き出る向きに付勢された係止爪とで構成し、係止爪をその付勢力に逆らって押さえ込むことにより、挿入ピンを前記貫通孔から抜いて、上側ロック手段を巾板本体から外すことができるようにすると好ましい。また、上側ロック手段を、巾板本体の上縁に係止する係止爪を先端に供えたロックピンによって構成し、係止爪をロックピンの中心軸回りに回転させて係止爪の向きを変えることにより、上側ロック手段を巾板本体から外すことができるようにすることも好ましい。
【発明の効果】
【０００９】
以上のように、本発明によって、踏み板を交換することなく従来の仮設足場に容易に取り付けることができ、また、現場に資材を搬入する際など、不要なときには踏み板に対して倒伏させることにより容易に収納することのできる仮設足場用巾板を提供することが可能になる。
【図面の簡単な説明】
【００１０】
【図１】仮設足場を示した斜視図である。
【図２】第一実施態様の仮設足場用巾板を示した斜視図である。
【図３】第一実施態様の仮設足場用巾板を仮設足場に取り付けた状態を示した斜視図である。
【図４】第一実施態様の仮設足場用巾板における上側ロック手段の周辺を拡大した斜視図である。
【図５】第一実施態様の仮設足場用巾板の変形例を示した斜視図である。
【図６】第一実施態様の仮設足場用巾板の変形例における巾板本体及び底板を切断した状態を示した断面図である。
【図７】第二実施態様の仮設足場用巾板を仮設足場に取り付けた状態を示した斜視図である。
【図８】第二実施態様の仮設足場用巾板の変形例を示した斜視図である。
【発明を実施するための形態】
【００１１】
本発明の仮設足場用巾板の好適な実施態様について、図面を用いてより具体的に説明する。まず、第一実施態様の仮設足場用巾板について説明する。図２は、第一実施態様の仮設足場用巾板２０を示した斜視図である。図３は、第一実施態様の仮設足場用巾板２０を仮設足場１０に取り付けた状態を示した斜視図である。図４は、第一実施態様の仮設足場用巾板２０における上側ロック手段２４の周辺を拡大した斜視図である。図５は、第一実施態様の仮設足場用巾板２０の変形例を示した斜視図である。図６は、第一実施態様の仮設足場用巾板２０の変形例における巾板本体２１及び底板２２ｃを切断した状態を示した断面図である。
【００１２】
第一実施態様の仮設足場用巾板２０は、図３に示すように、仮設足場１０における所定箇所に取り付けて使用するものとなっている。図３の例では、２列に配された踏み板１３のそれぞれにおける外側の縁部に沿って仮設足場用巾板２０を取り付けている。仮設足場用巾板２０を取り付ける仮設足場１０は、鉛直方向に立設された複数の支柱１１を水平方向に連結する複数の梁部材１２に複数の踏み板１３を架設することによって構築されたものとなっている。図３において、仮設足場１０は、その最小限の構成単位を示しているが、実際の仮設足場１０は、これらの構成単位が鉛直方向又は水平方向に三次元的に組み合わされた形態を為している。
【００１３】
仮設足場用巾板２０は、図２に示すように、巾板本体２１と、下側固定手段２２と、ヒンジ部２３と、上側ロック手段２４（図３又は図４を参照）とを備えたものとなっている。巾板本体２１は、金属製、木製又は硬質樹脂製の板材によって形成され、図３に示すように、踏み板１３の縁部に沿って配される。巾板本体２１は、その使用時においては、踏み板１３に対して略垂直に起立した状態となる。巾板本体２１の長手方向の長さは、通常、仮設足場１０における支柱１１のスパンに略等しくなるように設定される。
【００１４】
第一実施態様の仮設足場用巾板２０において、巾板本体２１は、図２に示すように、１枚の平坦な板として記載しているが、巾板本体２１には、様々な工夫を施すことができる。例えば、図５に示すように、巾板本体２１の長手方向や短手方向に沿ってビード２１ｂを形成すると好ましい。これにより、巾板本体２１の断面係数を増大させて、巾板本体２１の強度をより高めることが可能になる。ビード２１ｂは、１本のみ設けてもよいが、複数本設けてもよい。図５の例では巾板本体２１の長手方向に沿って１本のビード２１ｂを設けている。
【００１５】
また、図５に示すように、巾板本体２１を互いに長手方向にスライド可能に継いだ複数の板材２１ｃ，２１ｄ，２１ｅによって形成するとともに、底板２２ｃも互いに長手方向にスライド可能に継いだ板材２２ｇ，２２ｈ，２２ｉによって形成することも好ましい。これにより、仮設足場用巾板２０の長手方向の長さを変化させることが可能になり、支柱１１のスパンが変わっても、仮設足場用巾板２０を取り付けることが可能になる。長手方向に継ぐ板材の枚数は、２枚以上であれば特に限定されない。本例においては、巾板本体２１と底板２２ｃのそれぞれを板材２１ｃ，２１ｄ，２１ｅと板材２２ｇ，２２ｈ，２２ｉの３枚ずつとしている。ヒンジ部２３は、板材２１ｃと板材２２ｇの間と、板材２１ｅと板材２２ｉの間のみに設けており、板材２１ｄと板材２２ｈの間にはヒンジ部２３を設けていない。
【００１６】
また、図５の例においては、図６に示すように、巾板本体２１における両端部に配される板材２１ｃ，２１ｅの側縁を内側に折り返し、その折り返された部分の内側に板材２１ｄを保持させるようになっている。板材２１ｄにもビード２１ｂを形成しており、板材２１ｃ，２１ｅに形成されたビード２１ｂと重なるようになっている。このため、巾板本体２１を伸縮する際のガイドとしてビード２１ｂを使用することが可能となっている。底板２２ｃも、巾板２１と同様、底板２２ｃの両端部に配される板材２２ｇ，２２ｉの側縁を内側に折り返し、その折り返された部分の内側に板材２１ｄを保持させるようになっている。図示していないが、板材２１ｄに対して板材２１ｃ，２１ｅを位置固定するためのロック機構や、板材２２ｈに対していた材２２ｇ，２２ｉを位置固定するためのロック機構を設けると好ましい。これにより、仮設足場用巾板２０の運搬時や施行時に巾板本体２１や底板２２ｃがスライドしないようにすることが可能になるだけでなく、仮設足場用巾板２０の施工後の安定性も高めることが可能になる。
【００１７】
下側固定手段２２は、図２に示すように、巾板本体２１の下縁を、支柱１１又は梁部材１２に対して固定するためのものとなっている。第一実施態様の仮設足場用巾板２０において、下側固定手段２２は、支柱１１を外方から押さえるための押さえ片２２ａと、梁部材１２に掛けるためのフック２２ｂと、踏み板１３の縁部に掛けるための底板２２ｃとで構成されている。これにより、巾板本体２１を仮設足場１０に対して三次元的に位置固定することが可能になる。また、底板２２ｃによって、巾板本体１１の下縁と踏み板１３の側縁との間の隙間を防ぐことが可能になるので、この隙間から物などが落下するのを防ぐことができるようになる。押さえ片２２ａとフック２２ｂは、巾板本体２１の長手方向両端部に設けられている。
【００１８】
ヒンジ部２３は、図２に示すように、巾板本体２１の下縁と、下側固定手段２２における底板２２ｃの外縁との間に介在され、矢印Ａで示すように、巾板本体２１を底板２２ｃ側へ倒伏可能とする。巾板本体２１は、それが略水平となるまで完全に倒すことが可能である。巾板本体２１は、その上部を後述する上側ロック手段２４（図３又は図４を参照）によって仮設足場１０の構造躯体にロックされた状態にあっては、倒伏させることができず、上側ロック手段２４のロックが解除された状態にあっては、倒伏させることができるようになっている。
【００１９】
第一実施態様の仮設足場用巾板２０において、上側ロック手段２４は、図４に示すように、挿入ピン２４ａと、係止爪２４ｂと、支柱固定部２４ｃとで構成されたものとなっている。挿入ピン２４ａは、巾板本体２１の上部に設けられた貫通孔２１ａに挿入される。挿入ピン２４ａの先端には、係止爪２４ｂの基端が軸支されている。係止爪２４ｂは、図示省略のバネなどの付勢手段によって、その先端が斜め下向きとなるように付勢されている。このため、係止爪２４ｂは、自然状態において、その先端が挿入ピン２４ａから側方（外方）へ突き出るようになっている。挿入ピン２４ａから突き出た係止爪２４ｂの先端は、巾板本体２１における貫通孔２１ａの周辺に引っ掛かる。この係止爪２４ｂによって、上側ロック手段２４が意図せずに解除されるのを防止することができる。
【００２０】
第一実施態様の仮設足場用巾板２０においては、図４に示すように、挿入ピン２４ａと係止爪２４ｂは、１つの支柱固定部２４につき２つずつ設けている（他の図面においては、図示の便宜上、１つずつしか描いていない。）。これは、図３に示す仮設足場用巾板２０の長手方向両側には、別の仮設足場用巾板２０（図示省略）が配されるため、１つの支柱固定部２４においては、隣り合って配される２つの仮設足場用巾板２０における巾板本体２１をロックする必要があるためである。
【００２１】
一方、上側ロック手段２４を解除する際には、係止爪２４ｂの先端をその付勢力に逆らって押さえ込み、係止爪２４ｂが挿入ピン２４ａに対して平行となるようにし、この状態を保ちながら挿入ピン２４ａを貫通孔２１ａから抜くようにすればよい。第一実施態様の仮設足場用巾板２０においては、このように意識的にロックを解除しようとしない限りは、上側ロック手段２４のロック状態を解除できないようになっている。支柱固定部２４ｃは、支柱１１に外嵌できるようリング状のものとなっており、図示省略のボルトなどによって支柱１１に対して締め付けながら位置固定するものとなっている。
【００２２】
図７は、第二実施態様の仮設足場用巾板２０を仮設足場１０に取り付けた状態を示した斜視図である。図８は、第二実施態様の仮設足場用巾板２０の変形例を示した斜視図である。第二実施態様の仮設足場用巾板２０は、図７に示すように、巾板本体２１と、下側固定手段２２と、ヒンジ部２３と、上側ロック手段２４と、上側連結手段２５とを備えたものとなっている。巾板本体２１には、下側固定手段２２から取り外し可能な帯状の板材を使用している。第二実施態様の仮設足場用巾板２０では、現場で余っている木の板などを巾板本体２１として流用できるため、経済的である。
【００２３】
下側固定手段２２は、図７に示すように、下側固定手段２２を支柱１１に固定するための支柱固定部２２ｄと、支柱固定部２２ｄに固定された基部２２ｅと、巾板本体２１を保持するための巾板保持部２２ｆとで構成されている。支柱固定部２２ｄは、第一実施態様の仮設足場用巾板２０における支柱固定部２４ｃと同様、リング状のものとなっており、支柱１１に対して外嵌し、図示省略のボルトなどの締め付け手段によって締め付けることにより、支柱１１に対して位置固定できるものとなっている。
【００２４】
また、基部２２ｅは、図７に示すように、鉛直方向に延びる鉛直板状部と、水平方向に延びる水平板状部とからなる断面Ｌ字状の金属片となっている。基部２２ｅは、その前記鉛直板状部で３支柱固定部２２ｄに対して一体的に固定されている。基部２２ｅにおける前記水平板状部の先端には、ヒンジ部２３が設けられている。巾板本体２１が起立した際には、基部２２ｅにおける前記水平板状部の上面に、巾板本体２１と巾板保持部２２ｆとが載るようになっている。巾板保持部２２ｆは、断面Ｕ字状の金属片となっており、その内側に形成された溝の内部に巾板本体２１を嵌め込んで保持させるものとなっている。
【００２５】
上側ロック手段２４は、図７に示すように、起立した巾板本体２１の上縁を巾板本体２１の厚さ方向に横断するロックピン２４ｄと、ロックピン２４ｄの先端に鉛直回転可能に軸支された係止爪２４ｅと、ロックピン２４ｄを支柱に対して位置固定する支柱固定部２４ｆとで構成されている。この上側ロック手段２４は、係止爪２４ｅをロックピン２４ｄの中心軸回りに回転させて係止爪２４ｅの向きを変えることにより、巾板本体２１から外すことができるものとなっている。すなわち、係止爪２４ｅの先端を鉛直下向きにして巾板本体２１の内面を係止爪２４ｅで押さえるようにすれば、巾板本体２１が踏み板１３側へ倒伏しないようにすることができ、係止爪２４ｅの先端を水平方向よりも上向きになるようにして巾板本体２１の内面に係止爪２４ｅが当たらないようにすれば、巾板本体２１を踏み板１３側へ倒伏させることができるようになっている。
【００２６】
また、上側ロック手段２４は、図８に示すように、下側固定手段２２における基部２２ｅに対して略水平方向に固定された基部側パイプ２４ｇと、巾板保持部２２ｆに対して略水平方向に固定されて巾板保持部２２ｆを支柱１１側へ起立させた際に基部側パイプ２４ｇと同軸上に配される巾板側パイプ２４ｈと、巾板保持部２２ｆを支柱１１側へ起立させて同軸上に配された基部側パイプ２４ｇ及び巾板側パイプ２４ｈの内部に挿入するロックピン２４ｉとで構成するなど、他の機構を採用することもできる。図８の例において、基部側パイプ２４ｇは、基部２２ｅにおける上端面に固定しており、巾板側パイプ２４ｈは、巾板保持部２２ｆの一方の外側面における略中央部に固定している。
【００２７】
上側連結手段２５は、図７に示すように、隣り合う巾板本体２１の肩部（角部）を連結するためのものとなっている。このように、隣り合う巾板本体２１の肩部を連結することにより、仮設足場用巾板２０の強度をより高めることが可能になる。また、隣り合う巾板本体２１の起立又は倒伏の動作を同期させることができるので、仮設足場用巾板２０の操作を容易に行うことも可能になる。
【００２８】
第二実施態様の仮設足場用巾板２０において、上側連結手段２５は、図７に示すように、一の巾板本体２１の肩部に固定される基部２５ａと、基部２５ａに対して回動可能に軸支された回動部２５ｂと、基部２５ａに対して回動部２５ｂの基端を回動可能に軸支する回動軸２５ｃと、基部２５ａを前記一の巾板本体２１に対して固定するための基部側固定手段２５ｄと、回動部２５ｂを前記他の巾板本体２１に対して固定するための回動部側固定手段２５ｅとで構成されている。
【００２９】
基部２５ａと回動部２５ｂはともに、断面Ｕ字状の金属片によって形成されており、その内側の溝の内部に巾板本体２１を嵌め込んで保持させるものとなっている。第二実施態様の仮設足場用巾板２０においては、回動部２５ｂが基部２５ａの外側に配されるため、回動部２５ｂの溝幅は、基部２５ａの溝幅よりも僅かに広くなっている。基部側固定手段２５ｄや回動部固定手段２５ｄとしては、釘やボルトなどが例示される。第二実施態様の仮設足場用幅板２０においては、基部側固定手段２５ｂとして釘を、回動部側固定手段２５ｅとしてボルトを使用している。
【符号の説明】
【００３０】
１０    仮設足場
１１    支柱
１２    梁部材
１３    踏み板
２０    仮設足場用巾板
２１    巾板本体
２１ａ  貫通孔
２１ｂ  ビード
２１ｃ  板材
２１ｄ  板材
２１ｅ  板材
２２    下側固定手段
２２ａ  押さえ片
２２ｂ  フック
２２ｃ  底板
２２ｄ  支柱固定部
２２ｅ  基部
２２ｆ  巾板保持部
２２ｇ  板材
２２ｈ  板材
２２ｉ  板材
２３    ヒンジ部
２４    上側ロック手段
２４ａ  挿入ピン
２４ｂ  係止爪
２４ｃ  支柱固定部
２４ｄ  ロックピン
２４ｅ  係止爪
２４ｆ  支柱固定部
２４ｇ  基部側パイプ
２４ｈ  巾板側パイプ
２４ｉ  ロックピン
２５    上側連結手段
２５ａ  基部
２５ｂ  回動部
２５ｃ  回動軸
２５ｄ  基部側固定手段
２５ｅ  回動部側固定手段
【図１】
2011026917.tif 000003
【図２】
2011026917.tif 000004
【図３】
2011026917.tif 000005
【図４】
2011026917.tif 000006
【図５】
2011026917.tif 000007
【図６】
2011026917.tif 000008
【図７】
2011026917.tif 000009
【図８】
2011026917.tif 000010